(57)【要約】【課題】通信品質情報の表示を視覚的にわかりやすく表示することができ、また、専用のピクトが不要で、デュアルモード端末においてもユーザに対して違和感なく正確に通信品質情報を与えることができる携帯端末装置を提供する。【解決手段】表示部１３にＷｅｂ表示などを行っているときに、画面の更新（次の頁の要求や、検索開始ボタンなど）を指示するカーソル（枠や矢印）を複数の表示形式で表示可能で、通信状態、たとえば通信誤り率、電界強度、基地局２０からの下り通信速度等に応じて、カーソルの表示形式を変更（点滅の変更、表示色の変更等）する制御部１６を設ける。【選択図】        図２
2005244767.tif 000002
【特許請求の範囲】
【請求項１】
網との通信が可能な無線通信部と表示部とを有する携帯端末装置であって、
上記表示部に、当該表示部における画面の更新を指示するカーソルを複数の表示形式で表示可能で、通信状態に応じて上記カーソルの表示形式を変更する制御部
を有する携帯端末装置。
【請求項２】
上記通信状態には、複数の通信方式を含み、
上記制御部は、使用する通信方式に応じて上記カーソルの表示形式を変更する
ことを特徴とする請求項１に記載の携帯端末装置。
【請求項３】
上記通信状態には、通信速度を含み、
上記制御部は、網からの信号の受信状態に基づいて下りデータ通信速度を予測し、上記予測下りデータ通信速度を上記無線通信部を介して上記網側へ要求し、当該要求した予測下りデータ通信速度に応じて上記カーソルの表示形式を変更する
ことを特徴とする請求項１に記載の携帯端末装置。
【請求項４】
上記通信状態には、通信速度を含み、
上記制御部は、所定時間に取得したデータ量を当該所定時間で除して上記通信速度を得、得られた通信速度に応じて上記カーソルの表示形式を変更する
ことを特徴とする請求項１に記載の携帯端末装置。
【請求項５】
上記制御部は、上記所定時間を、網に対してデータを要求し下りデータの受信を開始したときに計時する
ことを特徴とする請求項４に記載の携帯端末装置。
【請求項６】
上記通信方式は、あらかじめ指定可能であって、
上記制御部は、指定された通信方式に応じて上記カーソルの表示形式を変更する
ことを特徴とする請求項２に記載の携帯端末装置。
【請求項７】
上記通信方式毎に所望する通信速度をあらかじめ記憶する記憶部をさらに有し、
上記制御部は、実際の通信速度が上記記憶部に記憶されている所望する通信速度に達しているか否かに応じて上記カーソルの表示形式を変更する
ことを特徴とする請求項２に記載の携帯端末装置。
【請求項８】
複数の通信方式で通信可能で、所望する通信方式に従って、無線通信部により、網を介して所望の情報を要求し、要求に応じた情報を表示部に表示可能な携帯端末装置であって、
上記表示部に、当該表示部における画面の更新を指示するカーソルを複数の表示形式で表示可能で、通信方式に応じて上記カーソルの表示形式を変更する制御部
を有する携帯端末装置。
【発明の詳細な説明】
【技術分野】
【０００１】
本発明は、携帯電話機等の携帯端末装置に係り、特に、表示部に通信速度等の通信品質情報を表示する携帯端末装置に関するものである。
【背景技術】
【０００２】
近年、複数の無線ネットワークを利用できる携帯電話機等の携帯端末装置が実用に供されている。この種の携帯端末装置においては、通信速度等の通信品質情報を表示できるように構成される。  
通信速度等の通信品質情報の表示は、たとえばピクトを用いてそれぞれのプロトコル毎に行われる。また、ピクト領域に表示する通信品質情報として利用される表示パラメータとしては、電波受信レベルがある。
【０００３】
また、高速無線通信方式として、ＣＤＭＡ２０００  １ｘ−ＥＶ  ＤＯ方式が実用化されようとしている。ここで、ＣＤＭＡ２０００  １ｘ−ＥＶ  ＤＯ方式において、ＥＶはＥｖｏｌｕｔｉｏｎ、ＤＯはＤａｔａ  Ｏｎｌｙの意である。
【０００４】
１ｘ−ＥＶ  ＤＯ方式の通信品質情報は、受信状態（受信電界強度、Ｃ／Ｉ等）に基づいて携帯端末装置側で予測されるデータ通信速度（ＤＲＣ：Ｄａｔａ  Ｒａｔｅ  Ｃｏｎｔｒｏｌ  Ｂｉｔ）を平均化するものであり、これを表示部に表示してユーザに通知する（たとえば特許文献１参照）。
これにより、１ｘ−ＥＶ  ＤＯ方式を採用した携帯端末装置のユーザは、正確に通信状態を把握することが可能となる。
【特許文献１】特開２００２−３００６４４号公報
【発明の開示】
【発明が解決しようとする課題】
【０００５】
ところで、通信品質情報の表示を、ピクト領域に行う場合には、以下のような不利益がある。
通常、携帯電話機等のピクト領域は小さいため、ユーザに通信速度や利用可能な無線ネットワークを視覚的にわかりやすく表示することが困難である。
また、複数の特徴を持つ無線ネットワークに接続可能な携帯端末装置上で、ユーザに利用可能な無線ネットワーク情報を通知することを考えた場合、無線ネットワークの特徴に応じてピクトを用意する必要がある。
【０００６】
また、従来の通信方式においては、電波受信レベルを通信品質情報としているため、通信速度の尺度にはマッチングしない。
一方、１ｘ−ＥＶ  ＤＯ方式では、予測下りデータ通信速度からかなり正確に反映できる。
このため、１ｘ−ＥＶ  ＤＯ方式やＣＤＭＡ１ｘのようなデュアルモード端末において、２つの情報を単に同様に表示した場合、ユーザに正確に通信品質情報を与えることができない。
【０００７】
本発明は、かかる事情に鑑みてなされたものであり、その目的は、通信品質情報の表示を視覚的にわかりやすく表示することができ、また、専用のピクトが不要で、デュアルモード等の複数モード端末においてもユーザに対して違和感なく正確に通信品質情報を与えることができる携帯端末装置を提供することにある。
【課題を解決するための手段】
【０００８】
上記目的を達成するため、本発明の第１の観点は、網との通信が可能な無線通信部と表示部とを有する携帯端末装置であって、上記表示部に、当該表示部における画面の更新を指示するカーソルを複数の表示形式で表示可能で、通信状態に応じて上記カーソルの表示形式を変更する制御部を有する。
【０００９】
好適には、上記通信状態には、複数の通信方式を含み、上記制御部は、使用する通信方式に応じて上記カーソルの表示形式を変更する。
【００１０】
好適には、上記通信状態には、通信速度を含み、上記制御部は、網からの信号の受信状態に基づいて下りデータ通信速度を予測し、上記予測下りデータ通信速度を上記無線通信部を介して上記網側へ要求し、当該要求した予測下りデータ通信速度に応じて上記カーソルの表示形式を変更する。
【００１１】
好適には、上記通信状態には、通信速度を含み、上記制御部は、所定時間に取得したデータ量を当該所定時間で除して上記通信速度を得、得られた通信速度に応じて上記カーソルの表示形式を変更する。
【００１２】
好適には、上記制御部は、上記所定時間を、網に対してデータを要求し、下りデータの受信を開始したときに計時する。
【００１３】
好適には、上記通信方式は、あらかじめ指定可能であって、上記制御部は、指定された通信方式に応じて上記カーソルの表示形式を変更する。
【００１４】
好適には、上記通信方式毎に所望する通信速度をあらかじめ記憶する記憶部をさらに有し、上記制御部は、実際の通信速度が上記記憶部に記憶されている所望する通信速度に達しているか否かに応じて上記カーソルの表示形式を変更する。
【００１５】
本発明の第２の観点は、複数の通信方式で通信可能で、所望する通信方式に従って、無線通信部により、網を介して所望の情報を要求し、要求に応じた情報を表示部に表示可能な携帯端末装置であって、上記表示部に、当該表示部における画面の更新を指示するカーソルを複数の表示形式で表示可能で、通信方式に応じて上記カーソルの表示形式を変更する制御部を有する。
【発明の効果】
【００１６】
本発明によれば、通信品質情報の表示を視覚的にわかりやすく表示することができる。  また、専用のピクトが不要となる利点がある。
また、デュアルモード端末においてもユーザに対して違和感なく正確に通信品質情報を与えることができる。
【発明を実施するための最良の形態】
【００１７】
以下、本発明の実施形態を添付図面に関連付けて説明する。
【００１８】
図１は、本発明に係る携帯端末装置としての携帯電話機が適用される無線通信システムの一実施形態を示すシステム構成図である。
【００１９】
本実施形態に係る携帯電話機１０は、図１に示すように、無線通信部により、基地局２０を経由し、通信網３０を介してサーバ装置４０に所望のデータを要求して、要求に応じたＷｅｂデータ等を表示部に表示する機能を有する。
そして、本実施形態に係る携帯電話機１０は、表示部にＷｅｂ表示などを行っているときに、画面の更新（次の頁の要求や、検索開始ボタンなど）を指示するカーソル（枠や矢印）を複数の表示形式で表示可能で、通信状態、たとえば通信誤り率、電界強度、基地局２０からの下り通信速度等に応じて、カーソルの表示形式を変更する機能を有する。カーソルの表示形式の変更形態としては、たとえば点滅の変更、表示色の変更等を採用可能である。
【００２０】
また、本実施形態においては、携帯電話機１０は、次の３種類の無線ネットワーク（通信網）に接続可能な無線通信端末として構成されているものとする。
（１）：通常接続する第１の無線ネットワーク（たとえば１ｘＣＤＭＡ２０００（ＩＳ９５））、
（２）：通常接続する無線ネットワーク（１）より通信料金が安価であるが、通信速度が低速な第２の無線ネットワーク、
（３）：通信速度が通常接続する無線ネットワーク（１）より高速であるが、サービスエリアが狭い第３の無線ネットワーク（たとえば、１ｘ−ＥＶ  ＤＯ）。
【００２１】
また、接続優先度は、「速度優先」、「通常」、「リーズナブル」の３種類とする。
通信品質情報の表示方法は、無線ネットワークの種類については、カーソルの色でユーザに報知（通知）し、通信速度については、点滅パターンにて通知するものとする。
なお、「リーズナブル」を選択した場合には、全く別の通信方式、たとえば無線ＬＡＮを選択するものとする。
【００２２】
ＣＤＭＡ2000 1x-EV DO方式では、携帯端末装置から受信した受信状態を通知する情報に基づいて、基地局２０がこの携帯端末装置へ送信するデータの変調方式を切り替えることにより、この端末の受信状態が良好なときは誤り耐性が低いが高速な通信レート、受信状態が悪いときは低速だが誤り耐性の高い通信レートを使用することが可能となる。
【００２３】
また、ＣＤＭＡ2000 1x-EV DO方式の下り方向（基地局から携帯端末装置への方向）では、時間を1/600秒単位で分割し、その時間内では一つの携帯通信端末だけとの通信を行い、通信相手の携帯通信端末を時間により切り替えることにより複数の携帯通信端末と通信を行う、時分割多重アクセス（ＴＤＭＡ：Ｔｉｍｅ  Ｄｉｖｉｓｉｏｎ  Ｍｕｌｔｉｐｌｅｘ  Ａｃｃｅｓｓ）を採用している。これにより、常に、個々の携帯端末装置に対して最大の電力を持ってデータ送信を行うことが可能となり、携帯通信端末間で行うデータ通信を最速の通信速度で行うことができる。
【００２４】
図２は、本発明に係る携帯端末装置としての携帯電話機１０の一実施形態を示すブロック構成図である。
【００２５】
本実施形態に係る携帯電話機１０は、図１に示すように、無線通信部１１、記憶部としてのメモリ１２、表示部１３、操作部１４、スピーカ１５ａおよびマイクロフォン１５ｂとを含む音声処理部１５、および制御部１６を有している。
【００２６】
無線通信部１１は、電波を利用した無線通信を行うために、制御部１６で処理された画像データ、音声情報、電子メール等の各種情報を変調して送受信アンテナを通して基地局２０を含む通信網３０に送信する。
また、無線通信部１１は、サーバ装置４０から通信網３０、基地局２０を介して送信されてくる画像データ、音声情報、電子メール等を送受信アンテナを通して受信し、受信した各種情報を復調して制御部１６に出力する。
【００２７】
無線通信部１１は、たとえば図２に示すように、送受信アンテナ１１１、ＲＦフロントエンド部１１２、切り替えスイッチ１１３、１ｘＥＶＤＯベースバンド部１１４、およびＣＤＭＡ２０００ベースバンド部１１５を有している。
【００２８】
ＲＦフロントエンド部１１２は、共用器や復調器を含み、送受信アンテナ１１１をによって受信された基地局からの下りパイロット信号を、基地局２０から受信した受信信号の変調方式に対応する復調方式によって、ベースバンド帯域の受信信号から多重化信号を復調する。なお、本実施形態においては、ＱＰＳＫ（quadriphase phase shift keying）、８ＰＳＫ（８ phase shift keying）、１６ＱＡＭ（１６ amplitude modulation）の３種のいずれかの復調方式によって復調を行う。
また、ＲＦ部は、切り替えスイッチ１１３を介して供給される１ｘＥＶＤＯベースバンド部１１４またはＣＤＭＡ２０００ベースバンド部１１５による送信すべき情報を送受信アンテナ１１１を通して基地局２０を含む通信網３０に送信する。
【００２９】
切り替えスイッチ１１３、制御部１６の切替制御信号によりＲＦフロントエンド１１２と１ｘＥＶＤＯベースバンド部１１４またはＣＤＭＡ２０００ベースバンド部１１５との接続切り替えを行う。
通信方式が１ｘＥＶＤＯ方式の場合には、ＲＦフロントエンド１１２と１ｘＥＶＤＯベースバンド部１１４が接続され、１ｘＣＤＭＡ２０００方式の場合には、ＲＦフロントエンド１１２とＣＤＭＡ２０００ベースバンド部１１５が接続される。
【００３０】
１ｘＥＶＤＯベースバンド部１１４は、ＲＦフロントエンド部１１２において復調された受信データを、切り替えスイッチ１１３を介して入力し、図示しない復号器によって復号処理、具体的には、スペクトル拡散されている受信多重化信号をスペクトル逆拡散する。
ここで、自局に割り当てられた受信データ（たとえば、通話相手からの通話信号やダウンロードを希望したデータ等）があった場合には、受信データを復号器から制御部１６に出力する。
さらに、復号器は復号処理の過程において、Ec/Io（パイロット信号強度対全受信信号強度）を求め、以下に示す（１）式に基づいてＣＩＲ（搬送波対干渉比）を算出する。
【００３１】
（数１）
ＣＩＲ=(Ec/lo)/(１-Ec/lo)      …（１）
【００３２】
上述の式に基づいて求められたＣＩＲは、復号器から図示しない予測器に出力され、予測器において、次の受信スロットタイミング（ここで、１スロットは1.66ms=1/600秒）におけるＣＩＲの値が予測される。
ここでの予測の方法については、特に限定しないが、線形予測等の方法が例として挙げられる。また、予測器が何スロット後のＣＩＲを予測すればよいかを指示する情報は、携帯電話機１０の電源オン時に基地局２０から送信されてくる種々の制御信号に含まれている。そして、予測器によって求められた予測ＣＩＲは、図示しないＣＩＲ−ＤＲＣ変換部に供給される。
ＣＩＲ−ＤＲＣ変換部は、図示しないＣＩＲ−ＤＲＣ変換テーブルに基づいて、予測ＣＩＲをＤＲＣに変換する。このＤＲＣ（Ｄａｔａ  Ｒａｔｅ  Ｃｏｎｔｒｏｌ  Ｂｉｔ）とは、予測ＣＩＲから期待される、携帯電話機１０において所定の誤り率以下で受信可能な最高通信速度である。ここで、ＣＩＲ−ＤＲＣ変換テーブルには、基準ＣＩＲに対応するＤＲＣが定義されている。ＣＩＲ−ＤＲＣ変換部は、入力された予測ＣＩＲが基準ＣＩＲであった場合には、そのＣＩＲに対応するＤＲＣを制御部１６に出力する。
一方、予測器から入力された予測ＣＩＲが基準ＣＩＲでなかった場合には、入力された予測ＣＩＲに最も近い基準ＣＩＲに対応するＤＲＣを取得するか、または、入力された予測ＣＩＲに最も近い２値のＣＩＲから補間することにより、補間したＣＩＲに対応するＤＲＣを取得する。これにより、各予測ＣＩＲに応じたＤＲＣを取得することができ、より正確な受信状態を利用者に対して通知することが可能となる。
【００３３】
１ｘＥＶＤＯベースバンド部１１４は、制御部１６から出力されたＤＲＣや送信データを、マルチプレクサによって多重化し、符号化器によって更に符号化して、切り替スイッチ１１３を介してＲＦフロントエンド部１１２に出力する。
【００３４】
ＣＤＭＡ２０００ベースバンド部１１５は、ＲＦフロントエンド部１１２において復調された受信データを、切り替えスイッチ１１３を介して入力し、図示しない復号器によって復号処理、具体的には、スペクトル拡散されている受信多重化信号をスペクトル逆拡散する。
ここで、自局に割り当てられた受信データ（たとえば、通話相手からの通話信号やダウンロードを希望したデータ等）があった場合には、受信データを復号器から制御部１６に出力する。
さらに、復号器は復号処理の過程において、Ec/Io（パイロット信号強度対全受信信号強度）を求め、上記（１）式に基づいてＣＩＲ（搬送波対干渉比）を算出し、制御部１６に出力する。
【００３５】
ＣＤＭＡ２０００ベースバンド部１１５は、制御部１６から出力された送信データを、マルチプレクサによって多重化し、符号化器によって更に符号化して、切り替スイッチ１１３を介してＲＦフロントエンド部１１２に出力する。
【００３６】
メモリ１２は、ＥＥＰＲＯＭ等の不揮発性メモリを含み、たとえば接続優先度パラメータ、表示部１３に表示するカーソルのＤＲＣに対応した点滅回数を示す、図３に示すような速度表示テーブル等、通信方式毎に所望する通信速度をあらかじめ記憶する。
【００３７】
表示部１３は、液晶表示装置（ＬＣＤ：Ｌｉｑｕｉｄ  Ｃｒｙｓｔａｌ  Ｄｉｓｐｌａｙ）や有機ＥＬ（ＥｌｅｃｔｒｏＬｕｍｉｎｅｓｃｅｎｔ）等の表示デバイスを有し、制御部１６の制御の下、通話機能のために入力した電話番号や各種メッセージ、テキストデータ等を表示する。
また、表示部１３は、制御部１６の制御に従って、表示部にＷｅｂ表示などを行っているときに、画面の更新（次の頁の要求や、検索開始ボタンなど）を指示するカーソル（枠や矢印）を複数の表示形式で表示する。この表示部１３におけるカーソルの表示形式は、通信状態、たとえば通信誤り率、電界強度、基地局２０からの下り通信速度等に応じて、変更される。
【００３８】
操作部１４は、終了（終話）／電源キー、開始（発呼）キー、数字等に対応した複数のテンキー等を有し、これらのキーが操作されることにより、ユーザからの入力情報を制御部１６に供給する。
【００３９】
音声処理部１５は、音声処理回路を有し、通話機能のために音声出力を行うスピーカ１５ａと、音声入力を行うマイクロフォン１５ｂとが接続されている。
音声処理部１５は、無線通信モードにおいて、マイクロフォン１５ｂにより収音した音声に対して所定の処理を行って制御部１６に出力する。
音声処理部１５は、制御部１６により供給された音声情報に対して所定の処理を行ってスピーカ１５ａから放音させる。
【００４０】
制御部１６は、マイクロコンピュータを主体として構成され、携帯電話機１０の全体の制御を行う。
たとえば、制御部１６は、無線通信部１１における各種情報の無線による送受信の制御、音声処理部１５に対する音声情報の処理、表示部１３への情報の表示、カーソルの表示形式の変更制御、および点灯制御、操作部１４の入力情報に応じた処理、メモリ１２に対するアクセス制御等を行う。
制御部１６は、無線通信モードにおいて、無線通信部１１を通して所望の通信方式に従って、無線通信が可能なモードであり、制御部１６は、表示部１３に電源起動直後の標準画面（いわゆる待ち受け画面）を表示させる。無線通信モードにおいては、操作部１４の操作により発呼動作等を行うことが可能である。
【００４１】
制御部１６は、表示部１３における画面の更新を指示するカーソルを複数の表示形式で表示可能で、通信状態に応じて上記カーソルの表示形式を変更する。このカーソルの表示制御は後で詳述する。
この通信状態には、上述したような複数の通信方式、たとえば１ｘＣＤＭＡ２０００（ＩＳ９５）や１ｘ−ＥＶ  ＤＯ方式を含み、制御部１６は、使用する通信方式に応じてカーソルの表示形式を変更する。
通信方式は、たとえば操作部１４によりあらかじめ指定可能であって、制御部１６は、指定された通信方式に応じてカーソルの表示形式を変更する。
【００４２】
また、たとえば１ｘ−ＥＶ  ＤＯ方式の場合、通信状態には、通信速度を含み、通信網３０、基地局２０からの信号の受信状態に基づいて下りデータ通信速度を予測し（本実施形態では無線通信部１１が予測している）、予測下りデータ通信速度を無線通信部を介して網側（基地局２０）に要求し、要求した予測下りデータ通信速度に応じてカーソルの表示形式を変更する。
【００４３】
また、１ｘＣＤＭＡ２０００（ＩＳ９５）方式の場合、通信状態には、通信速度を含み、制御部１６は、所定時間に取得したデータ量をこの所定時間で除して（割って）通信速度を得、得られた通信速度に応じてカーソルの表示形式を変更する。
なお、後述するように、制御部１６は、所定時間を、網に対してデータを要求し、下りデータの受信を開始したときに計時する。
【００４４】
また、制御部１６は、実際の通信速度がメモリ１２に記憶されている所望する通信速度に達しているか否かに応じてカーソルの表示形式を変更する。
【００４５】
制御部１６は、無線通信部１１の１ｘＥＶベースバンド部１１４からＤＲＣが入力されると、携帯電話機１６において生成された送信データがあるか否かを判断する。そして、送信データがある場合には、制御部１６は、上述したＤＲＣと共にこの送信データを１ｘＥＶベースバンド部１１４に出力する。一方、送信データがない場合には、制御部１６は、ＣＩＲ−ＤＲＣ変換部から入力されたＤＲＣを１ｘＥＶベースバンド部１１４に出力する。
なお、制御部１６から出力されたＤＲＣや送信データは、無線通信部１１を経由して基地局２０へ送信される。基地局２０では、１ｘＥＶ  ＤＯ方式の場合、携帯電話機１０から受信したＤＲＣに基づいて、次のスロットをどの携帯通信端末への送信に使用するか、およびその送信での通信速度（変調速度）を決定する。
【００４６】
なお、１ｘＣＤＭＡ２０００（ＩＳ９５）方式の場合、基地局２０から携帯端末装置としての携帯電話機１０への方向のデータ通信速度が携帯通信端末における受信状態を示すＣＩＲ（搬送波対干渉比）の瞬時の値で決定することも可能である。
すなわち、現在普及している通信方式であるＣＤＭＡでは、ＣＤＭＡ2000 1x-EV DO方式のように、場所によるデータ通信速度の変化がそれほど顕著でないことから、受信状態等を利用者に対して即時的に通知する必要性が低く、また、この受信状態等の判断も、基地局２０から受信するパイロット信号から求めたEc/Io（パイロット信号強度対全受信信号強度）、ＣＩＲ等の瞬時値に基づいて行い、下り通信速度を決定する。
【００４７】
制御部１６は、１ｘＥＶ  ＤＯ方式の場合、上述したように、基地局２０からの信号の受信状態に基づいて下りデータ通信速度を予測して決定するが、その理由による。
【００４８】
ＣＤＭＡ2000 1x-EV DO方式は、基地局２０から携帯端末装置である携帯電話機１０への方向のデータ通信速度が携帯電話機１０における受信状態（たとえば受信電界強度、搬送波対干渉比＝ＣＩＲ）によって、大きく変化するという特性を有している。
たとえば、携帯電話機１０が受信状態が最も良好なときであれば通信速度2.4Mbpsでのデータ通信が可能となるが、受信状態が悪いときでは数10kbps程度にまでデータ通信速度が低下してしまう。
すなわち、ＣＤＭＡ2000 1x-EV DO方式では、下りデータ通信速度は、１ｘＣＤＭＡ２０００方式のように受信状態を示すＣＩＲ（搬送波対干渉比）の瞬時の値で単純に決定されるのではなく、予測や過去の下りデータ伝送の誤り率等の統計データによる補正等により変化する。
このように、ＣＤＭＡ2000 1x-EV DO方式では、上述したように場所によるデータ通信速度の変化が顕著であるため、即時的に極めて正確なデータ通信速度を利用者に対して通知する必要がある。
このような理由から、本実施形態では、予測や過去の下りデータ伝送の誤り率等の統計データによる補正等を考慮して求められた極めて正確なデータ通信速度を直接的に示すＤＲＣを利用者に対して通知することにより、ユーザは、正確なデータ通信速度を把握することができ、データ通信開始時において、データ通信に好適な場所を容易に見つけ、通信に好適な環境においてデータ通信を開始することが可能となる。なお、上述のＤＲＣは予測したＣＩＲから導出される値であるため、導出されたこのＤＲＣも将来（たとえば、1/600秒先）の値である。
【００４９】
本実施形態においては、第１〜第３の無線ネットワークに対応して、通信方式や下り通信速度をカーソルの表示形式を変更することにより、ユーザに通知（報知）している。
以下、本実施形態における制御部１６の処理シーケンス、および制御部１６による表示部１３の表示制御を、カーソルの表示制御を中心に、図面に関連付けて具体的な状況に基づき説明する。
【００５０】
図４は、本実施形態に係る画面表示処理を説明するためのフローチャートである。
ここでは、上述した第１の無線ネットワーク（１ｘＣＤＭＡ２０００（ＩＳ９５））および第２の無線ネットワーク（通信料金が安価であるが、通信速度が低速な無線ネットワーク）が利用可能であり、表示部１６の表示は、通常画面である状態（ＳＴ１）にて、第３の無線ネットワーク（１ｘＥＶＤＯ）を検出した場合を考える（ＳＴ２）。
【００５１】
新たに無線アクセスポイントを検出すると、メモリ１２に保存されている接続優先度パラメータを参照し、接続優先度を確認する（ＳＴ３）。そして、接続優先度に基づき接続される無線ネットワークを選択する。
無線優先度が「通常」に設定されていた場合、無線ネットワークの切り替えおよびカーソル表示の変更は行わない（ＳＴ４）。
無線優先度が「速度優先」に設定されていた場合、高速通信画面を表示する（ＳＴ５）。
ステップＳＴ１において「リーズナブル」に設定されていた場合も同様の処理を行い、たとえば安価通信画面を表示する（ＳＴ６）。
【００５２】
図５は、本実施形態に係る表示切替処理を説明するためのフローチャートである。
図５に示すように、他のネットワークを検出し（ＳＴ１１）、かつ検出した無線ネットワークの優先順位が現在のものと比較して高い場合には、たとえばユーザが無線ＬＡＮのホットスポットに侵入し、かつ、ユーザが接続優先度設定画面で「速度優先」に設定していた場合、移動機である携帯電話機１０の無線ネットワーク情報＝「速度優先」を設定し（ＳＴ１２）、画面を更新すると（ＳＴ１３）、携帯電話機１０の表示は高速通信画面となり、ユーザに無線ネットワークの変更を通知できる。
【００５３】
次に、通信速度表示方法について説明する。
まず、第３の無線ネットワークである１ｘ−ＥＶ  ＤＯ方式の場合の通信速度の表示方法について説明する。
【００５４】
第３の無線ネットワークである１ｘ−ＥＶ  ＤＯ方式の場合、上述したように、受信状態（たとえば電波受信レベル、Ｃ／Ｉ値）に基づいて携帯電話機１０側で下りデータ通信速度を予測し、この予測下りデータ通信速度（ＤＲＣ）を基地局２０に送信して通知することにより、基地局２０が予測下りデータ通信速度でデータを通信する。
そのため、顕著に変化する通信状態をユーザに対してリアルタイムに通知できることが有効である。
本実施形態においては、メモリ１２に格納されている図３の速度表示テーブルに基づいて、ＤＲＣに対応した点滅回数をもってカーソルの表示形式を変更することにより、通信状態をユーザに対してリアルタイムに通知する。
【００５５】
図３において、制御部１６は、ＤＲＣ値が「ＤＲＣ１」の場合には、カーソルを１秒間に１回点滅させる。ＤＲＣ値が「ＤＲＣ２」の場合には、カーソルを１秒間に２回点滅させる。ＤＲＣ値が「ＤＲＣ３」の場合には、カーソルを１秒間に３回点滅させる。ＤＲＣ値が「ＤＲＣ４」の場合には、カーソルを１秒間に４回点滅させる。ＤＲＣ値が「ＤＲＣ５」の場合には、カーソルを１秒間に５回点滅させる。つまり、通信速度に応じた点滅速度となる。
【００５６】
次に、第１の無線ネットワーク（１ｘＣＤＭＡ２０００（ＩＳ９５））および第２の無線ネットワーク（通信料金が安価であるが、通信速度が低速な無線ネットワーク）の場合の通信速度の表示方法について説明する。
【００５７】
第１および第２の無線ネットワークの場合には、上述したように、実際に行った通信（受信）データから通信速度を導出する。
具体的には、メニュー画面の表示データを取得する場合のように、画面表示を行う直前の取得状況から導出する。
【００５８】
図６は、この場合の通信速度の導出方法を説明するためのフローチャートである。
【００５９】
この場合、まず、データ受信（通信）開始（Ｗｅｂ表示開始）と同時にデータ受信タイマをスタートさせる（ＳＴ２１）。
データ受信終了と同時に、データ受信タイマをストップさせる。そして、ＣＤＭＡプロトコル部より受信したデータ量を取得する。なお、データ受信終了と同時に、プロトコル部より受信したデータ量を通知してもらっても良い。
そして、データ受信時間を取得する（ＳＴ２２）。
【００６０】
取得したデータ受信量Ｙとデータ受信時間Ｘとの値を比較し、通信速度係数ｋを算出する（ＳＴ２３）。たとえばＹ＝ｋＸなる関係を有する。すなわち、通信速度係数ｋは、データ受信量Ｙをデータ受信時間Ｘで除して求められる。
次に、通信速度係数ｋよりカーソルの色または点滅パターンを決定する（ＳＴ２４）。たとえば、通信速度係数ｋがある値より大きければ青色のカーソル、小さければ黄緑色のカーソルというように色を決定する。
そして、Ｗｅｂ表示および決定された色または点滅パターンをもってカーソルを表示する（ＳＴ２５）。
【００６１】
以上により、コンテンツよりデータをダウンロードする場合には、メニュー画面に従ってダウンロードを行うことが一般的である。メニュー画面の表示データを取得するときの通信速度を反映することでリアルタイムに近い速度表示が可能となる。つまり、第３の無線ネットワークに比較的近い通信品質情報を提供することが可能となる。
【００６２】
また、カーソルの色および点滅パターンにより通信品質情報を表示できることから、ユーザは携帯電話機１０の表示部１３上、メイン領域の周囲に表示される枠カーソルの色およびパターンにて、現在の接続ネットワークの無線方式および通信速度を視覚的に確認することができる。
したがって、たとえば「高速通信」ネットワークを利用可能なことを確認し、「高速通信可能であるなら動画をストリーミング再生しよう。」とか、「今電話をかけようとしているが、高速通信可能ならテレビ電話にしよう。」といったように、現在の通信環境に最適なアプリケーションを能動的に利用することが可能になる。
また、現在の接続ネットワークが期待するほどの速度でない場合であっても、より安いネットワーク利用に変更させる、という選択肢をユーザに提供することもできる。
【００６３】
図７は、通常通信における表示画面の一例を示す図であり、図８は、高速通信における表示画面の一例を示す図である。
【００６４】
たとえば「通常」の場合は青色、「速度優先」の場合は「黄緑」で表示する。
したがって、ユーザは携帯電話機１０の表示部１３上、メイン領域の周囲に表示される枠カーソルの色にて、現在使用している接続ネットワークの無線方式を視覚的に確認することができる。
【００６５】
次に、携帯電話機１０からの接続優先度の設定方法について、図９および図１０に関連付けて説明する。
【００６６】
ユーザは、接続優先度設定画面からあらかじめ自分の嗜好に合ったメニューを選択する。
たとえば、「利用可能なら通話料はいくらかかっても高速通信を利用したい」とユーザが考えれば「速度優先」に設定する。
また、「今月は出費がかさんで携帯電話にお金を使いたくない」と考えるならば「リーズナブル」を選択する、といったように設定する。
【００６７】
また、ユーザに自分の嗜好に合ったメニューを選択するだけでなく、使用する接続ネットワークの種別ごとに、期待する通信速度を登録させておいても良い。たとえば、１ｘＥＶ  ＤＯ方式については１Ｍｂｐｓ、１ｘＣＤＭＡ２０００方式については８０Ｋｂｐｓとのように登録しておく。この登録についてはユーザに選択させても良いし、あらかじめ出荷段階で登録しておいても良いが、テーブル化してメモリ１２に格納しておく。
そして、高速通信を期待してユーザが１ｘＥＶ  ＤＯ方式を選択の上、インターネット接続などの通信が開始したならば、制御部１６は上述の方法に基づいて通信速度を得る。ここで、期待する通信速度（この場合は１Ｍｂｐｓ）に満たないとき、制御部１６はカーソルと、そのカーソルにて選択されたページ更新を指示するアイコンや文字列やＵＲＬの全体が、表示色を反転させるなど表示形式を変更する。これにより、現在の選択中の通信方式はユーザの期待する速度が出ていないことを通知することができる。
よって制御部１６は、ユーザに、料金にみあった高い通信速度が得られていないならば速度は低いが安い通信方式に接続を切り替える、という従来になかった新しい選択肢を与えることもできる。
さらに、１ｘＥＶ  ＤＯ方式のネットワークサービスエリアぎりぎりの地点で、ユーザが通信を行っている場合、大きく通信速度が揺らぐ場合がありうる。上述の方法にて通信速度を得たならば、メモリ１２に格納しておき、これを所定数分蓄積しておき、たとえば所定時間ごとに通信速度の履歴を制御部１６がチェックし、通信速度が大きく揺らいでいると判断した場合（たとえば最も低い速度と高い速度とで１０倍の開きがあるなど）には、安定した通信が得られていないとして、この場合についてもカーソルの表示形式を変えるなどして通知しても良い。
【００６８】
なお、本実施形態は、携帯端末装置としての携帯電話機の表示部上に設けたカーソルの色やパターンを利用してユーザに無線ネットワークの通信品質情報を通知する。上述した例では、無線ネットワークの種類、通信速度を通信品質情報としたが、これはあくまでも一例であり、その他の情報をユーザに通知する場合についても本発明が適用されることことはいうまでもない。
また、本実施形態においては、ユーザ嗜好をあらかじめ設定する場合について説明したが、あくまでも一例であり、無線ネットワーク選択の優先順位の決め方について制限するものではない。
【００６９】
以上説明したように、本実施形態によれば、表示部１３にＷｅｂ表示などを行っているときに、画面の更新（次の頁の要求や、検索開始ボタンなど）を指示するカーソル（枠や矢印）を複数の表示形式で表示可能で、通信状態、たとえば通信誤り率、電界強度、基地局２０からの下り通信速度等に応じて、カーソルの表示形式を変更（点滅の変更、表示色の変更等）する制御部１６を設けたので、以下の効果を得ることができる。
【００７０】
将来的に新たに利用可能な無線ネットワークが追加された場合であっても、カーソルの色またはパターンデータを追加するだけで対応することが可能であり、便利である。
複数の特徴を持つ無線ネットワークに接続可能な携帯端末装置上で、ユーザに利用可能な無線ネットワーク情報を通知することを考えた場合、無線ネットワークの特徴に応じて専用のピクトを用意する必要がない。
また、通常の通信方式でも通信速度を導出することから、１ｘ−ＥＶ  ＤＯ方式と１ｘＣＤＭＡ２０００（ＩＳ９５）のようなデュアル端末においてもユーザに対して違和感なく正確に通信品質情報を与えることができる。
【図面の簡単な説明】
【００７１】
【図１】本発明に係る携帯端末装置としての携帯電話機が適用される無線通信システムの一実施形態を示すシステム構成図である。
【図２】本発明に係る携帯端末装置としての携帯電話機の一実施形態を示すブロック構成図である。
【図３】本実施形態に係る速度表示テーブルの一例を示す図である。
【図４】本実施形態に係る画面表示処理を説明するためのフローチャートである。
【図５】本実施形態に係る表示切替処理を説明するためのフローチャートである。
【図６】本実施形態に係る第１および第２の無線ネットワークの通信速度の導出方法を説明するためのフローチャートである。
【図７】通常通信における表示画面の一例を示す図である。
【図８】高速通信における表示画面の一例を示す図である。
【図９】携帯電話機からの接続優先度の設定方法について説明するためのフローチャートである。
【図１０】携帯電話機からの接続優先度の設定方法について説明するための図であって、嗜好設定画面を示す図である。
【符号の説明】
【００７２】
１０…携帯電話機、１１…無線通信部、１１１…送受信アンテナ、１１２…ＲＦフロントエンド部、１１３…切り替えスイッチ、１１４…１ｘＥＶＤＯベースバンド部、１１５…ＣＤＭＡ２０００ベースバンド部、１２…メモリ、１３…表示部、１４…操作部、１５…音声処理部、１６…制御部、２０…基地局、３０…通信網、４０…サーバ装置。
【図１】
2005244767.tif 000003
【図２】
2005244767.tif 000004
【図３】
2005244767.tif 000005
【図４】
2005244767.tif 000006
【図５】
2005244767.tif 000007
【図６】
2005244767.tif 000008
【図７】
2005244767.tif 000009
【図８】
2005244767.tif 000010
【図９】
2005244767.tif 000011
【図１０】
2005244767.tif 000012